(57)【要約】【課題】複数のランプ（構成要素）をハウジングに効率的に取り付けることができる（作業効率が良い）車両用灯具を提供する。【解決手段】正面側開口２０ａとその反対側の背面側開口２０ｂとを含む筒状支持体２０と、前記筒状支持体２０の内周面で取り囲まれた空間に配置された状態で前記筒状支持体２０に支持され、前記正面側に第１光源からの光を照射する第１ランプユニット３０と、前記筒状支持体２０の外周面に沿って配置された状態で前記筒状支持体２０に支持され、前記正面側に第２光源からの光を照射する第２ランプユニット４０と、を備える車両用灯具１０であることを特徴とする。【選択図】  図３
2018073581.tif 000002
【特許請求の範囲】
【請求項１】
正面側開口とその反対側の背面側開口とを含む筒状支持体と、
前記筒状支持体の内周面で取り囲まれた空間に配置された状態で前記筒状支持体に支持され、前記正面側に第１光源からの光を照射する第１ランプユニットと、
前記筒状支持体の外周面に沿って配置された状態で前記筒状支持体に支持され、前記正面側に第２光源からの光を照射する第２ランプユニットと、
を備える車両用灯具。
【請求項２】
前記第１光源の光色と前記第２光源の光色とは相互に異なり、
前記筒状支持体は、遮光性を有する請求項１に記載の車両用灯具。
【請求項３】
前記第１ランプユニットは、
前記第１光源からの光を反射して前記正面側に照射する反射面と、
前記反射面の前方に配置され、前記反射面からの反射光が透過するレンズと、
を備える請求項１又は２に記載の車両用灯具。
【請求項４】
前記第２ランプユニットは、
前記第２光源と、
前記第２光源からの光を導光する導光体と、
前記第２光源を保持するサブブラケットと、
前記導光体によって導光される前記第２光源からの光が入光する入光面と前記入光した光を前記正面側に照射する出光面とを含む筒状レンズ体と、
を備え、
前記筒状レンズ体は、その内周面と前記筒状支持体の外周面とが対向した状態で前記筒状支持体に支持される請求項１から３のいずれか１項に記載の車両用灯具。
【請求項５】
前記筒状支持体、前記第１ランプユニット、及び、前記第２ランプユニットは、ハウジングとアウターレンズによって構成される灯室内に配置され、
前記筒状支持体には、前記背面側開口の一部を覆う壁部が設けられ、
前記壁部には、前記第１ランプユニットの一部が挿入される第１貫通穴が形成され、
前記第２ランプユニットには、前記第１貫通穴に挿入された前記第１ランプユニットの前記一部が挿入される第２貫通穴が形成され、
前記ハウジングには、固定ネジが挿入される第３貫通穴が形成され、
前記筒状支持体、前記第１ランプユニット、及び、前記第２ランプユニットは、前記第３貫通穴に挿入された前記固定ネジを、前記第１貫通穴及び前記第２貫通穴に挿入された前記第１ランプユニットの前記一部に螺合させることで、前記ハウジングに固定される請求項１から４のいずれか１項に記載の車両用灯具。
【請求項６】
前記第１光源は、前記ハウジングに装着される請求項５に記載の車両用灯具。
【請求項７】
前記筒状支持体は、円筒状支持体である請求項１から６のいずれか１項に記載の車両用灯具。
【発明の詳細な説明】
【技術分野】
【０００１】
本発明は、車両用灯具に関し、特に、複数のランプ（構成要素）をハウジングに効率的に取り付けることができる（作業効率が良い）車両用灯具に関する。
【背景技術】
【０００２】
従来、筒状の第１ハウジング（内側面）と第１レンズとで区画された第１灯室に反射面やターンランプ用の光源を配置することで構成された第１ランプと、第１ハウジング（外側面）と当該第１ハウジングを取り囲んで配置された筒状の第２ハウジング（内側面）と第２レンズとで区画された第２灯室に反射面やテールランプ用の光源を配置することで構成された第２ランプと、を備えた車両用灯具が提案されている（例えば、特許文献１（図２、図３等）参照）。
【先行技術文献】
【特許文献】
【０００３】
【特許文献１】特開平１１−３２１４４７号公報
【発明の概要】
【発明が解決しようとする課題】
【０００４】
しかしながら、特許文献１に記載の車両用灯具においては、各々のランプの構成要素（反射面や光源等）が一つにユニット化されていないため、各々のランプの構成要素を個別にハウジングに取り付けなければならず、各々のランプをハウジングに効率的に取り付けるのが難しい（作業効率が良くない）という問題がある。
【０００５】
本発明は、上記事情に鑑みてなされたものであり、複数のランプ（構成要素）をハウジングに効率的に取り付けることができる（作業効率が良い）車両用灯具を提供することを目的とする。
【課題を解決するための手段】
【０００６】
上記目的を達成するために、本発明の一つの側面は、正面側開口とその反対側の背面側開口とを含む筒状支持体と、前記筒状支持体の内周面で取り囲まれた空間に配置された状態で前記筒状支持体に支持され、前記正面側に第１光源からの光を照射する第１ランプユニットと、前記筒状支持体の外周面に沿って配置された状態で前記筒状支持体に支持され、前記正面側に第２光源からの光を照射する第２ランプユニットと、を備える車両用灯具であることを特徴とする。
【０００７】
この側面によれば、複数のランプ（構成要素）をハウジングに効率的に取り付けることができる（作業効率が良い）車両用灯具を提供することができる。
【０００８】
これは、第１ランプユニット及び第２ランプユニットを筒状支持体によって一つにユニット化したことによるものである。
【０００９】
また、この側面によれば、複数のランプを備えたコンパクトな車両用灯具を提供することができる。
【００１０】
これは、第１ランプユニットを筒状支持体の内周面で取り囲まれた空間に配置し、かつ、第２ランプユニットを筒状支持体の外周面に沿って配置したことによるものである。
【００１１】
また、上記発明において、好ましい態様は、前記第１光源の光色と前記第２光源の光色とは相互に異なり、前記筒状支持体は、遮光性を有することを特徴とする。
【００１２】
この態様によれば、各々のランプユニットが第１光源からの光と第２光源からの光が混じり合った光を照射するのを防止することができる。すなわち、各々のランプユニット本来の機能が損なわれるのを防止することができる。
【００１３】
これは、遮光性を有する筒状支持体によって第１ランプユニット（第１光源）と第２ランプユニット（第２光源）とを光学的に遮断したことによるものである。
【００１４】
また、上記発明において、好ましい態様は、前記第１ランプユニットは、前記第１光源からの光を反射して前記正面側に照射する反射面と、前記反射面の前方に配置され、前記反射面からの反射光が透過するレンズと、を備えることを特徴とする。
【００１５】
また、上記発明において、好ましい態様は、前記第２ランプユニットは、前記第２光源と、前記第２光源からの光を導光する導光体と、前記第２光源を保持するサブブラケットと、前記導光体によって導光される前記第２光源からの光が入光する入光面と前記入光した光を前記正面側に照射する出光面とを含む筒状レンズ体と、を備え、前記筒状レンズ体は、その内周面と前記筒状支持体の外周面とが対向した状態で前記筒状支持体に支持されることを特徴とする。
【００１６】
また、上記発明において、好ましい態様は、前記筒状支持体、前記第１ランプユニット、及び、前記第２ランプユニットは、ハウジングとアウターレンズによって構成される灯室内に配置され、前記筒状支持体には、前記背面側開口の一部を覆う壁部が設けられ、前記壁部には、前記第１ランプユニットの一部が挿入される第１貫通穴が形成され、前記第２ランプユニットには、前記第１貫通穴に挿入された前記第１ランプユニットの前記一部が挿入される第２貫通穴が形成され、前記ハウジングには、固定ネジが挿入される第３貫通穴が形成され、前記筒状支持体、前記第１ランプユニット、及び、前記第２ランプユニットは、前記第３貫通穴に挿入された前記固定ネジを、前記第１貫通穴及び前記第２貫通穴に挿入された前記第１ランプユニットの前記一部に螺合させることで、前記ハウジングに固定されることを特徴とする。
【００１７】
この態様によれば、第３貫通穴に挿入された固定ネジを、第１貫通穴及び第２貫通穴に挿入された第１ランプユニットの一部に螺合させるだけで、複数のランプ（構成要素）をハウジングに取り付けることができる。
【００１８】
また、上記発明において、好ましい態様は、前記第１光源は、前記ハウジングに装着されることを特徴とする。
【００１９】
また、上記発明において、好ましい態様は、前記筒状支持体は、円筒状支持体であることを特徴とする。
【図面の簡単な説明】
【００２０】
【図１】背面側から見た車両用灯具１０の斜視図である。
【図２】（ａ）車両用灯具１０の正面図、（ｂ）車両用灯具１０の背面図である。
【図３】（ａ）図２（ｂ）のＡ−Ａ断面図、（ｂ）図２（ｂ）のＢ−Ｂ断面図である。
【図４】図３（ａ）の一部拡大図である。
【図５】背面側から見た車両用灯具１０の分解斜視図である。
【図６】車両用灯具１０の一部上面図である。
【図７】光源モジュール６０の一例である。
【図８】車両用灯具１０とハウジング５２との関係を説明するための図である。
【発明を実施するための形態】
【００２１】
以下、本発明の実施形態である車両用灯具１０について添付図面を参照しながら説明する。各図において対応する構成要素には同一の符号が付され、重複する説明は省略される。
【００２２】
図１は、背面側から見た車両用灯具１０の斜視図である。
【００２３】
図１に示す車両用灯具１０は、テールランプ及びターンランプとして機能する標識用ランプ（又は信号用ランプ）であり、車両（図示せず）の後端部の左側及び右側に搭載される。
【００２４】
図２（ａ）は車両用灯具１０の正面図、図２（ｂ）は車両用灯具１０の背面図である。
【００２５】
図３（ａ）は図２（ｂ）のＡ−Ａ断面図、図３（ｂ）は図２（ｂ）のＢ−Ｂ断面図である。図４は、図３（ａ）の一部拡大図である。図５は、背面側から見た車両用灯具１０の分解斜視図である。
【００２６】
図１〜図５に示すように、本実施形態の車両用灯具１０は、筒状ブラケット２０、第１ランプユニット３０、第２ランプユニット４０等を備える。車両用灯具１０は、図３に示すように、アウターレンズ５０とハウジング５２とによって構成される灯室５４内に配置され、ハウジング５２に固定される。
【００２７】
筒状ブラケット２０は、正面側開口２０ａとその反対側の背面側開口２０ｂとを含む円筒状ブラケット（円筒状支持体）である。筒状ブラケット２０が本発明の筒状支持体に相当する。
【００２８】
筒状ブラケット２０は、正面側開口２０ａから背面側開口２０ｂに向かうに従って錐体状に狭くなるように構成される（図３参照）。
【００２９】
筒状ブラケット２０には、背面側開口２０ｂの一部を覆う壁部２２（横断取付部）が設けられる。壁部２２は、背面側開口２０ｂの略中央付近を横断する形態で設けられる。
【００３０】
壁部２２には、ハウジング固定用貫通穴２２ａ、仮組み用貫通穴２２ｂが形成される。ハウジング固定用貫通穴２２ａには、第１ランプユニット３０（ターンリフレクタ３２）の一部であるハウジング固定用ネジ受部３２ｄが挿入される。仮組み用貫通穴２２ｂには、第１ランプユニット３０（ターンリフレクタ３２）の一部である仮組み用ネジ受部３２ｅが挿入される。ハウジング固定用貫通穴２２ａが本発明の第１貫通穴に相当する。
【００３１】
筒状ブラケット２０の内周面には、当該筒状ブラケット２０にエクステンション３６を固定するために、エクステンション３６に設けられた爪部３６ｄが係合する係合部２０ｃ（例えば、凹部。図３（ｂ）参照）が設けられる。係合部２０ｃは、筒状ブラケット２０の周方向に複数設けられる。
【００３２】
筒状ブラケット２０の外周面には、当該筒状ブラケット２０の軸線ＡＸ方向に延びるリブ２４ａ、２４ｂが設けられる。また、筒状ブラケット２０の外周面には、アルミ蒸着が施される。このアルミ蒸着が施された外周面は、スリーブレンズ４２を通して視認される。
【００３３】
筒状ブラケット２０の背面側には、光源モジュール６０（及び光源モジュール保持部４６ｄ）を配置するために、切欠部Ｓ１が設けられる。
【００３４】
筒状ブラケット２０は、遮光性を有する。この遮光性を有する筒状ブラケット２０によって第１ランプユニット３０（ターンランプ用の光源）と第２ランプユニット４０（テールランプ用の光源６２）とを光学的に遮断することができる。その結果、各々のランプユニットが、ターンランプ用の光源からの光（橙色光）とテールランプ用の光源６２からの光（赤色光）が混じり合った光を照射するのを防止することができる。すなわち、各々のランプユニット本来の機能が損なわれるのを防止することができる。
【００３５】
上記構成の筒状ブラケット２０は、例えば、金型を用いて遮光性を有する合成樹脂を射出成形することにより成形される。
【００３６】
第１ランプユニット３０は、例えば、ターンランプユニットである。第１ランプユニット３０は、筒状ブラケット２０の内周面で取り囲まれた空間に配置された状態で筒状ブラケット２０に支持（固定）される（図３参照）。第１ランプユニット３０は、図２（ａ）に示すように、正面視で円形の発光領域Ａ１を備える。ターンランプレンズ３４が発光領域Ａ１を構成する。
【００３７】
図５に示すように、第１ランプユニット３０は、ターンリフレクタ３２、ターンランプレンズ３４、エクステンション３６を含む。
【００３８】
ターンリフレクタ３２は、背面側が閉塞し、正面側が開口したカップ状のリフレクタである。
【００３９】
ターンリフレクタ３２は、正面側開口３２ａから背面側３２ｂに向かうに従って錐体状に狭くなるように構成される（図３参照）。
【００４０】
ターンリフレクタ３２の内側面には、アルミ蒸着を施すことで、反射面３２ｃが形成される（図３参照）。反射面３２ｃは、ターンランプ用の光源（図示せず）からの光を、正面側開口３２ａを覆った状態で配置されたターンランプレンズ３４に向けて反射する。
【００４１】
ターンリフレクタ３２の背面側３２ｂには、ハウジング固定用ネジ受部３２ｄ（２個所）、仮組み用ネジ受部３２ｅ（１個所）が設けられる。また、ターンリフレクタ３２の背面側３２ｂには、ハウジング５２に形成された光源装着穴５２ｂ（図８参照）に装着されるターンランプ用の光源が挿入される貫通穴３２ｆが形成される。ターンランプ用の光源は、例えば、橙色光を発光する白熱電球等のバルブ光源である。
【００４２】
上記構成のターンリフレクタ３２は、筒状ブラケット２０の内周面で取り囲まれた空間に配置される（図３参照）。
【００４３】
具体的には、ターンリフレクタ３２は、当該ターンリフレクタ３２のハウジング固定用ネジ受部３２ｄ、仮組み用ネジ受部３２ｅがそれぞれ、筒状ブラケット２０のハウジング固定用貫通穴２２ａ、仮組み用貫通穴２２ｂに挿入された状態で、筒状ブラケット２０の内周面で取り囲まれた空間に配置される。
【００４４】
その際、ターンリフレクタ３２の外周面は筒状ブラケット２０の内周面と略相似形状であるため、ターンリフレクタ３２と筒状ブラケット２０との間に不要な隙間ができるのが防止される。また、ターンリフレクタ３２に設けられたリブ３２ｇが筒状ブラケット２０に当接する（図３（ａ）参照）ため、ターンリフレクタ３２と筒状ブラケット２０との間の隙間がより少なくなる。
【００４５】
上記構成のターンリフレクタ３２は、例えば、金型を用いてアクリルやポリカーボネイト等の合成樹脂を射出成形することにより成形される。
【００４６】
ターンランプレンズ３４は、外形が円形のレンズ部３４ａと、レンズ部３４ａを取り囲んだ状態で当該レンズ部３４ａを保持するレンズ枠部３４ｂと、を含む。ターンランプレンズ３４が本発明のレンズに相当する。
【００４７】
レンズ枠部３４ｂには、ターンランプレンズ３４をエクステンション３６に固定するために、エクステンション３６に設けられた爪部３６ｃが係合する係合部３４ｃ（例えば、開口部）が設けられる。係合部３４ｃは、レンズ枠部３４ｂの周方向に複数設けられる。
【００４８】
上記構成のターンランプレンズ３４は、レンズ枠部３４ｂに設けられた複数の係合部３４ｃにエクステンション３６に設けられた複数の爪部３６ｃを係合させることで、エクステンション３６に固定される。エクステンション３６は、ターンランプレンズ３４の周縁部等が視認されないように、当該ターンランプレンズ３４の周縁部等を覆う（図３参照）。
【００４９】
上記構成のターンランプレンズ３４は、例えば、金型を用いてアクリルやポリカーボネイト等の透明樹脂を射出成形することにより成形される。なお、ターンランプレンズ３４は省略してもよい。
【００５０】
エクステンション３６は、正面側開口３６ａとその反対側の背面側開口３６ｂとを含む円筒状に構成される。
【００５１】
エクステンション３６には、ターンランプレンズ３４に設けられた係合部３４ｃに係合する爪部３６ｃが設けられる。爪部３６ｃは、エクステンション３６の周方向に複数設けられる。
【００５２】
また、エクステンション３６には、当該エクステンション３６を筒状ブラケット２０に固定するために、筒状ブラケット２０の内周面に設けられた係合部２０ｃ（例えば、凹部。図３（ｂ）参照）に係合する爪部３６ｄが設けられる。爪部３６ｄは、エクステンション３６の周方向に複数設けられる。
【００５３】
上記構成のエクステンション３６（及びこれに固定されたターンランプレンズ３４）は、筒状ブラケット２０の内周面で取り囲まれた空間に配置される（図３参照）。
【００５４】
具体的には、エクステンション３６（及びこれに固定されたターンランプレンズ３４）は、当該エクステンション３６に設けられた複数の爪部３６ｄを筒状ブラケット２０の内周面に設けられた複数の係合部２０ｃに係合させることで、筒状ブラケット２０の内周面で取り囲まれた空間に配置される。これにより、ターンランプレンズ３４は、ターンリフレクタ３２の正面側開口３２ａを覆った状態で配置される。
【００５５】
上記構成のエクステンション３６は、例えば、金型を用いてアクリルやポリカーボネイト等の合成樹脂を射出成形することにより成形される。
【００５６】
上記構成の第１ランプユニット３０においては、ターンランプ用の光源からの光は、ターンリフレクタ３２（反射面３２ｃ）で反射され、ターンランプレンズ３４を透過して正面側に照射される。
【００５７】
第２ランプユニット４０は、例えば、テールランプユニットである。第２ランプユニット４０は、筒状ブラケット２０の外周面に沿って配置された状態で筒状ブラケット２０に支持（固定）される（図３参照）。第２ランプユニット４０は、図２（ａ）に示すように、正面視で円弧状の発光領域Ａ２を備える。スリーブレンズ４２の正面側開口端面４２ａが発光領域Ａ２を構成する。
【００５８】
図５に示すように、第２ランプユニット４０は、スリーブレンズ４２、導光体４４、サブブラケット４６を含む。
【００５９】
スリーブレンズ４２は、正面側開口端面４２ａとその反対側の背面側開口端面４２ｂとを含み、背面側開口端面４２ｂから入光した導光体４４（出光面４４ｄ）からの光が正面側開口端面４２ａから出光する円筒状レンズ体である。背面側開口端面４２ｂが本発明の入光面に相当し、正面側開口端面４２ａが本発明の出光面に相当し、スリーブレンズ４２が本発明の筒状レンズ体に相当する。なお、スリーブレンズ４２の正面側開口端面４２ａの直径Ｒ（図２（ａ）参照）は、例えば、φ１３０ｍｍ程度である。
【００６０】
スリーブレンズ４２は、正面側開口端面４２ａから背面側開口端面４２ｂに向かうに従って錐体状に狭くなるように構成される（図３参照）。
【００６１】
但し、スリーブレンズ４２は、完全な円筒ではなく、正面側開口端面４２ａと背面側開口端面４２ｂとの間、かつ、筒状ブラケット２０の切欠部Ｓ１に対応する位置に形成された切欠部Ｓ２を含む。その結果、正面側開口端面４２ａ及び背面側開口端面４２ｂは、切欠部Ｓ２を含む円弧状の面となる。
【００６２】
背面側開口端面４２ｂは、その一端部４２ｂ１と他端部４２ｂ２とが筒状ブラケット２０の軸線ＡＸ方向に関し異なる位置に配置されることで湾曲した湾曲面である。具体的には、背面側開口端面４２ｂの一端部４２ｂ１は背面側に配置され、他端部４２ｂ２は正面側に配置される。
【００６３】
スリーブレンズ４２には、背面側開口端面４２ｂの一部を覆う壁部４２ｃが設けられる。
【００６４】
壁部４２ｃには、ハウジング固定用貫通穴４２ｃ１、仮組み用貫通穴４２ｃ２が形成される。ハウジング固定用貫通穴４２ｃ１には、第１ランプユニット３０（ターンリフレクタ３２）の一部であるハウジング固定用ネジ受部３２ｄが挿入される。仮組み用貫通穴４２ｃ２には、第１ランプユニット３０（ターンリフレクタ３２）の一部である仮組み用ネジ受部３２ｅが挿入される。ハウジング固定用貫通穴４２ｃ１が本発明の第２貫通穴に相当する。
【００６５】
上記構成のスリーブレンズ４２は、筒状ブラケット２０の外周面に沿って配置される。
【００６６】
具体的には、スリーブレンズ４２は、ターンリフレクタ３２のハウジング固定用ネジ受部３２ｄ、仮組み用ネジ受部３２ｅがそれぞれ、当該スリーブレンズ４２のハウジング固定用貫通穴４２ｃ１、仮組み用貫通穴４２ｃ２に挿入され、かつ、スリーブレンズ４２の内周面と筒状ブラケット２０の外周面とが対向した状態で配置される。
【００６７】
その際、スリーブレンズ４２の内周面は、筒状ブラケット２０の外周面と略相似形状であるため、スリーブレンズ４２と筒状ブラケット２０との間に不要な隙間ができるのが防止される。また、スリーブレンズ４２に設けられたリブ４２ｆが筒状ブラケット２０に当接する（図３（ａ）参照）ため、スリーブレンズ４２と筒状ブラケット２０との間の隙間がより少なくなる。
【００６８】
上記構成のスリーブレンズ４２においては、導光体４４（出光面４４ｄ）からの光は、背面側開口端面４２ｂから入光し、正面側開口端面４２ａの全域（又は略全域）から均一（又は略均一）に出光して正面側に照射される。
【００６９】
上記構成のスリーブレンズ４２は、例えば、金型を用いてアクリルやポリカーボネイト等の透明樹脂を射出成形することにより成形される。
【００７０】
導光体４４は、基端部４４ａと、先端部４４ｂと、基端部４４ａと先端部４４ｂとの間に設けられた湾曲部４４ｃと、を含む円弧状の導光体である。
【００７１】
導光体４４（湾曲部４４ｃ）は、基端部４４ａと先端部４４ｂとが筒状ブラケット２０の軸線ＡＸ方向に関し異なる位置に配置されるようにキンクしている（図６参照）。具体的には、基端部４４ａは背面側に配置され、先端部４４ｂは正面側に配置される。
【００７２】
導光体４４の湾曲部４４ｃの正面側には、湾曲部４４ｃ内を導光される光源モジュール６０からの光が出光する出光面４４ｄが設けられる。
【００７３】
導光体４４の湾曲部４４ｃの背面側には、湾曲部４４ｃ内を導光される光源モジュール６０からの光を出光面４４ｄの全域（又は略全域）から均一（又は略均一）に出光させるために、当該湾曲部４４ｃ内を導光される光源モジュール６０からの光を拡散させる拡散面４４ｅが設けられる。
【００７４】
導光体４４は、基端部４４ａと先端部４４ｂとの間、かつ、筒状ブラケット２０の切欠部Ｓ１（及びスリーブレンズ４２の切欠部Ｓ２）に対応する位置に形成された切欠部Ｓ３を含む。その結果、出光面４４ｄ及び拡散面４４ｅは、切欠部Ｓ３を含む円弧状の面となる。
【００７５】
出光面４４ｄ及び拡散面４４ｅは、スリーブレンズ４２の背面側開口端面４２ｂと同様、その基端部４４ａ側と先端部４４ｂ側とが筒状ブラケット２０の軸線ＡＸ方向に関し異なる位置に配置されることで湾曲した湾曲面である。
【００７６】
導光体４４の湾曲部４４ｃには、スリーブレンズ４２に設けられた位置決めピン４２ｅが挿入される貫通穴４４ｆが形成される。
【００７７】
導光体４４は、先端部４４ｂに近いほど幅（出光面４４ｄの幅）が狭く構成される。
【００７８】
上記構成の導光体４４は、筒状ブラケット２０の外周面に沿って配置される。
【００７９】
具体的には、導光体４４は、当該導光体４４に形成された貫通穴４４ｆにスリーブレンズ４２の位置決めピン４２ｅが挿入され、かつ、導光体４４の出光面４４ｄとスリーブレンズ４２の背面側開口端面４２ｂとが対向（又は密着）した状態で、筒状ブラケット２０の外周面に沿って配置される。
【００８０】
上記構成の導光体４４においては、光源モジュール６０（テールランプ用の光源６２）からの光は、基端部４４ａから入光し、湾曲部４４ｃ内を導光され、拡散面４４ｅで反射されることで、出光面４４ｄの全域（又は略全域）から均一（又は略均一）に出光し、出光面４４ｄが対向するスリーブレンズ４２の背面側開口端面４２ｂから入光する。
【００８１】
上記構成の導光体４４は、例えば、金型を用いてアクリルやポリカーボネイト等の透明樹脂を射出成形することにより成形される。
【００８２】
サブブラケット４６は、基端部４６ａと、先端部４６ｂと、基端部４６ａと先端部４６ｂとの間に設けられた湾曲部４６ｃと、光源モジュール保持部４６ｄと、を含む円弧状の部材である。
【００８３】
サブブラケット４６（湾曲部４６ｃ）は、導光体４４と同様、基端部４６ａと先端部４６ｂとが筒状ブラケット２０の軸線ＡＸ方向に関し異なる位置に配置されるようにキンクしている。具体的には、基端部４６ａは背面側に配置され、先端部４６ｂは正面側に配置される。
【００８４】
サブブラケット４６の湾曲部４６ｃの正面側には、導光体４４の拡散面４４ｅが対向（又は密着）する面４６ｇ（図３参照）が設けられる。この導光体４４の拡散面４４ｅが対向（又は密着）する面４６ｇには、導光体４４の拡散面４４ｅからの漏れ光を反射して再度導光体４４に入光させるために、アルミ蒸着が施される。
【００８５】
サブブラケット４６の基端部４６ａは光源モジュール保持部４６ｄの背面側に連結され、先端部４６ｂは光源モジュール保持部４６ｄの正面側に連結される。
【００８６】
光源モジュール保持部４６ｄは、光源モジュール取付面４６ｄ１を含む。光源モジュール取付面４６ｄ１は、筒状ブラケット２０の軸線ＡＸを含む平面に対して略平行の平面である。
【００８７】
サブブラケット４６には、湾曲部４６ｃの基端部４６ａ側と湾曲部４６ｃの略中央とを連結する壁部４６ｅが設けられる。
【００８８】
壁部４６ｅには、ハウジング固定用貫通穴４６ｅ１、仮組み用貫通穴４６ｅ２が形成される。ハウジング固定用貫通穴４６ｅ１には、第１ランプユニット３０（ターンリフレクタ３２）の一部であるハウジング固定用ネジ受部３２ｄが挿入される。ハウジング固定用貫通穴４６ｅ１が本発明の第２貫通穴に相当する。
【００８９】
図７に示すように、光源モジュール６０は、テールランプ用の光源６２と、テールランプ用の光源６２が実装された基板６４と、を含む。テールランプ用の光源６２は、例えば、赤色光を発光するＬＥＤ等の半導体発光素子である。テールランプ用の光源６２が本発明の第２光源に相当する。基板６４には、光源モジュール保持部４６ｄ（光源モジュール取付面４６ｄ１）に設けられたピン４６ｄ２が挿入（例えば、嵌合）される貫通穴６４ａが形成される。
【００９０】
図６に示すように、光源モジュール６０は、光源モジュール保持部４６ｄ（光源モジュール取付面４６ｄ１）に設けられたピン４６ｄ２が基板６４に形成された貫通穴６４ａに挿入（例えば、嵌合）された状態で、光源モジュール保持部４６ｄ（光源モジュール取付面４６ｄ１）に固定される。
【００９１】
上記構成のサブブラケット４６は、ターンリフレクタ３２のハウジング固定用ネジ受部３２ｄが、当該サブブラケット４６のハウジング固定用貫通穴４６ｅ１に挿入され（図４参照）、さらに、図６に示すように、光源モジュール６０（及び光源モジュール保持部４６ｄ）が、筒状ブラケット２０の切欠部Ｓ１、スリーブレンズ４２の切欠部Ｓ２、及び、導光体４４の切欠部Ｓ３が重なったスペースに配置され、かつ、テールランプ用の光源６２と導光体４４の基端部４４ａとが対向した状態で配置される。
【００９２】
そして、サブブラケット４６の仮組み用貫通穴４６ｅ２に挿入された固定ネジ（図示せず）を、筒状ブラケット２０の仮組み用貫通穴２２ｂ及びスリーブレンズ４２の仮組み用貫通穴４２ｃ２に挿入された第１ランプユニット３０（ターンリフレクタ３２）の一部である仮組み用ネジ受部３２ｅに螺合させる。
【００９３】
これにより、サブブラケット４６は、当該サブブラケット４６とターンリフレクタ３２との間に、第１ランプユニット３０及び第２ランプユニット４０（正確には、筒状ブラケット２０、スリーブレンズ４２及び導光体４４）を挟持する（図３参照）。これにより、第１ランプユニット３０が、筒状ブラケット２０の内周面で取り囲まれた空間に配置された状態で筒状ブラケット２０に支持（固定）される。また、第２ランプユニット４０が、筒状ブラケット２０の外周面に沿って配置された状態で筒状ブラケット２０に支持（固定）される。なお、ターンリフレクタ３２は、その外周面の少なくとも一部が筒状ブラケット２０の内周面に当接（例えば、面接触）した状態で筒状ブラケット２０に支持（固定）される。また、スリーブレンズ４２は、その内周面の少なくとも一部が筒状ブラケット２０の外周面に当接（例えば、面接触）した状態で筒状ブラケット２０に支持（固定）される。
【００９４】
その際、サブブラケット４６に設けられたリブ４６ｆがスリーブレンズ４２に当接する（図３（ａ）参照）ため、サブブラケット４６とスリーブレンズ４２との間の隙間がより少なくなる。
【００９５】
上記構成のサブブラケット４６は、例えば、金型を用いてアクリルやポリカーボネイト等の合成樹脂を射出成形することにより成形される。
【００９６】
上記構成の第２ランプユニット４０においては、光源モジュール６０（テールランプ用の光源６２）からの光は、導光体４４の基端部４４ａから入光し、導光体４４の湾曲部４４ｃ内を導光され、導光体４４の拡散面４４ｅで反射されることで、導光体４４の出光面４４ｄの全域（又は略全域）から均一（又は略均一）に出光し、導光体４４の出光面４４ｄが対向するスリーブレンズ４２の背面側開口端面４２ｂから入光し、スリーブレンズ４２の正面側開口端面４２ａの全域（又は略全域）から均一（又は略均一）に出光して正面側に照射される。
【００９７】
上記構成の車両用灯具１０は、図４、図８に示すように、ハウジング５２に形成された貫通穴５２ａに挿入された固定ネジＮを、筒状ブラケット２０のハウジング固定用貫通穴２２ａ、スリーブレンズ４２のハウジング固定用貫通穴４２ｃ１及びサブブラケット４６のハウジング固定用貫通穴４６ｅ１に挿入された第１ランプユニット３０（ターンリフレクタ３２）の一部であるハウジング固定用ネジ受部３２ｄに螺合させることで、ハウジング５２に固定される。ハウジング５２に形成された貫通穴５２ａが本発明の第３貫通穴に相当する。
【００９８】
その際、ハウジング５２に設けられたリブ５２ｃ（２個所。図３（ａ）参照）がサブブラケット４６に当接することで、車両用灯具１０は、より安定した姿勢でハウジング５２に固定される。
【００９９】
以上説明したように、本実施形態によれば、第１ランプユニット３０及び第２ランプユニット４０（各々のランプユニットの構成要素）をハウジング５２に効率的に取り付けることができる（作業効率が良い）車両用灯具１０を提供することができる。
【０１００】
これは、第１ランプユニット３０及び第２ランプユニット４０を筒状ブラケット２０によって一つにユニット化したことによるものである。
【０１０１】
また、本実施形態によれば、第１ランプユニット３０及び第２ランプユニット４０を備えたコンパクトな車両用灯具１０を提供することができる。
【０１０２】
これは、第１ランプユニット３０を筒状ブラケット２０の内周面で取り囲まれた空間に配置し、かつ、第２ランプユニット４０を筒状ブラケット２０の外周面に沿って配置したことによるものである。
【０１０３】
また、本実施形態によれば、ハウジング５２に形成された貫通穴５２aに挿入された固定ネジＮを、第１ランプユニット３０（ターンリフレクタ３２）の一部に螺合させるだけで、第１ランプユニット３０及び第２ランプユニット４０（各々のランプユニットの構成要素）を備えた車両用灯具１０をハウジング５２に取り付けることができる。
【０１０４】
また、本実施形態によれば、第１ランプユニット３０及び第２ランプユニット４０は共通の筒状ブラケット２０で支持（固定）されるため、各々のランプユニット自体に自立する構造強度を持たせなくてもよく、多様な構造のランプユニットの構成が可能となる。
【０１０５】
また、本実施形態によれば、各々のランプユニットが、ターンランプ用の光源からの光（橙色光）とテールランプ用の光源６２からの光（赤色光）が混じり合った光を照射するのを防止することができる。すなわち、各々のランプユニット本来の機能が損なわれるのを防止することができる。
【０１０６】
これは、遮光性を有する筒状ブラケット２０によって第１ランプユニット３０（ターンランプ用の光源）と第２ランプユニット４０（テールランプ用の光源６２）とを光学的に遮断したことによるものである。
【０１０７】
次に、変形例について説明する。
【０１０８】
上記実施形態では、筒状ブラケット２０として、円筒状ブラケットを用いた例について説明したが、これに限らない。例えば、筒状ブラケット２０として、楕円筒状ブラケットを用いてもよいし、多角形筒状ブラケットを用いてもよいし、その他筒状ブラケットを用いてもよい。
【０１０９】
また、上記実施形態では、第１ランプユニット３０がターンランプユニットで、第２ランプユニット４０がテールランプユニットである例について説明したが、これに限らない。例えば、第１ランプユニット３０がテールランプユニットで、第２ランプユニット４０がターンランプユニットであってもよい。また、第１ランプユニット３０がターンランプユニットで、第２ランプユニット４０がテールランプユニット以外のランプユニット（例えば、ストップランプユニット）であってもよい。また、第２ランプユニット４０がテールランプユニットで、第１ランプユニット３０がターンランプユニット以外のランプユニット（例えば、テールランプユニット）であってもよい。また、第１ランプユニット３０がヘッドランプユニットで、第２ランプユニット４０がＤＲＬランプユニットであってもよい。
【０１１０】
また、上記実施形態では、第１ランプユニット３０として、ターンリフレクタ３２を備えたリフレクタ型のランプユニットを用いた例について説明したが、これに限らない。例えば、第１ランプユニット３０として、プロジェクタ型のランプユニットを用いてもよいし、ダイレクトプロジェクション型（直射型ともいう）のランプユニットを用いてもよいし、その他のランプユニットを用いてもよい。
【０１１１】
また、上記実施形態では、第２ランプユニット４０として、スリーブレンズ４２及び導光体４４を備えたランプユニットを用いた例について説明したが、これに限らない。例えば、第２ランプユニット４０として、発光領域Ａ２と同様の発光領域を備える他のランプユニットを用いてもよい。
【０１１２】
また、上記実施形態では、ターンランプ用の光源として、バルブ光源を用いた例について説明したが、これに限らず、ＬＥＤ等の半導体発光素子を用いてもよい。
【０１１３】
また、上記実施形態では、テールランプ用の光源６２として、ＬＥＤ等の半導体発光素子を用いた例について説明したが、これに限らず、半導体発光素子以外の例えばバルブ光源を用いてもよい。
【０１１４】
また、上記実施形態では、ターンランプ用の光源をハウジング５２に形成された光源装着穴５２ｂに装着する例について説明したが、これに限らない。例えば、ターンランプ用の光源として、ＬＥＤ等の半導体発光素子を用いる場合、当該ターンランプ用の光源をサブブラケット４６等に装着してもよいし、ターンリフレクタ３２に直接装着してもよい。
【０１１５】
また、上記実施形態では、遮光性を有する合成樹脂を射出成形することで、筒状ブラケット２０に遮光性を持たせた例について説明したが、これに限らない。例えば、遮光性を有しない合成樹脂を射出成形することで筒状ブラケット２０を成形し、当該成形した筒状ブラケット２０に遮光性を有する塗料を塗布したり、遮光性を有するフィルムを張り付けることで、筒状ブラケット２０に遮光性を持たせてもよい。また、筒状ブラケット２０を金属製とすることで、当該筒状ブラケット２０に遮光性を持たせてもよい。
【０１１６】
上記各実施形態で示した各数値は全て例示であり、これと異なる適宜の数値を用いることができるのは無論である。
【０１１７】
上記各実施形態はあらゆる点で単なる例示にすぎない。上記各実施形態の記載によって本発明は限定的に解釈されるものではない。本発明はその精神または主要な特徴から逸脱することなく他の様々な形で実施することができる。
【符号の説明】
【０１１８】
１０…車両用灯具、２０…筒状ブラケット、２０ａ…正面側開口、２０ｂ…背面側開口、２０ｃ…係合部、２２…壁部、２２ａ…ハウジング固定用貫通穴、２２ｂ…仮組み用貫通穴、２４ａ、２４ｂ…リブ、３０…第１ランプユニット、３２…ターンリフレクタ、３２ａ…正面側開口、３２ｂ…背面側、３２ｃ…反射面、３２ｄ…ハウジング固定用ネジ受部、３２ｅ…仮組み用ネジ受部、３２ｆ…貫通穴、３２ｇ…リブ、３４…ターンランプレンズ、３４ａ…レンズ部、３４ｂ…レンズ枠部、３４ｃ…係合部、３６…エクステンション、３６ａ…正面側開口、３６ｂ…背面側開口、３６ｃ…爪部、３６ｄ…爪部、４０…第２ランプユニット、４２…スリーブレンズ、４２ａ…正面側開口端面、４２ｂ…背面側開口端面、４２ｂ１…一端部、４２ｂ２…他端部、４２ｃ…壁部、４２ｃ１…ハウジング固定用貫通穴、４２ｃ２…仮組み用貫通穴、４２ｅ…位置決めピン、４２ｆ…リブ、４４…導光体、４４ａ…基端部、４４ｂ…先端部、４４ｃ…湾曲部、４４ｄ…出光面、４４ｅ…拡散面、４４ｆ…貫通穴、４６…サブブラケット、４６ａ…基端部、４６ｂ…先端部、４６ｃ…湾曲部、４６ｄ…光源モジュール保持部、４６ｄ１…光源モジュール取付面、４６ｄ２…ピン、４６ｅ…壁部、４６ｅ１…ハウジング固定用貫通穴、４６ｅ２…仮組み用貫通穴、４６ｆ…リブ、５０…アウターレンズ、５２…ハウジング、５２ａ…貫通穴、５２ｂ…光源装着穴、５２ｃ…リブ、５４…灯室、６０…光源モジュール、６２…光源、６４…基板、６４ａ…貫通穴、Ａ１、Ａ２…発光領域、ＡＸ…軸線、Ｎ…固定ネジ、Ｓ１〜Ｓ３…切欠部
【図１】
2018073581.tif 000003
【図２】
2018073581.tif 000004
【図３】
2018073581.tif 000005
【図４】
2018073581.tif 000006
【図５】
2018073581.tif 000007
【図６】
2018073581.tif 000008
【図７】
2018073581.tif 000009
【図８】
2018073581.tif 000010